(57)【要約】【課題】透明な転写層が、樹脂本体部に転写されて樹脂成形品の表面に形成されていることを容易に判断することができる転写シート送り装置及び樹脂成形品の製造方法を提供する。【解決手段】マーキングペン６０は、横架材７３の中央にマーキングペン保持部材６５を介して設置されている。マーキングペン６０は、射出成形用金型１１内に送り込まれる前に、転写シート５５の転写層５４に転写確認マーク６４をマーキングする。具体的には、マーキングペン６０は、転写層５４の樹脂ゲート部５８に転写される部分のうち、転写シート５５の送り方向からみて、転写層５４の樹脂本体部５６に転写される部分と重ならない部分を通過するように、転写シート５５の送り方向に沿って連続した線状の転写確認マーク６４をマーキングする。【選択図】図３
2010042605.tif 000002
【特許請求の範囲】
【請求項１】
樹脂本体部とその樹脂本体部に接続される樹脂ゲート部とが射出成形され、透明な転写層が前記樹脂本体部と前記樹脂ゲート部とに前記射出成形と同時に転写されるように、キャビティとそのキャビティに接続されるゲート空間とが構成された射出成形用金型内に、前記転写層を有する転写シートを送り込む転写シート送り装置であって、
前記射出成形用金型より前記転写シートの送り方向上流側に設置され、前記転写シートを巻き出して前記射出成形用金型内へ送り込む巻出し部と、
前記射出成形用金型より前記転写シートの送り方向下流側に設置され、前記射出成形用金型内へ送り込まれた前記転写シートを巻き取る巻取り部と、
前記転写シートが巻き出されてから前記射出成形用金型内に送り込まれるまでの間に設置され、前記射出成形用金型内に送り込まれる前に、前記転写層の前記樹脂ゲート部に転写される部分に転写確認マークをマーキングするマーキング部材とを備えた、転写シート送り装置。
【請求項２】
前記転写層の前記樹脂ゲート部に転写される部分は、前記転写シートの送り方向からみて、前記転写層の前記樹脂本体部に転写される部分と重ならない部分を有し、
前記マーキング部材はマーキングペンであり、そのマーキングペンは先端部が転写シートに接触するように配置され、前記重ならない部分を通過するように前記転写シートの送り方向に沿って連続した線状の転写確認マークをマーキングする、請求項１記載の転写シート送り装置。
【請求項３】
前記マーキングペンは、前記転写シートの幅方向に移動可能に設置された、請求項２記載の転写シート送り装置。
【請求項４】
前記巻出し部は、前記転写シートが前記射出成形用金型に対して所定の位置に送り込まれるように案内するガイドローラを含み、
前記マーキングペンは、その先端部が、前記転写シートと前記ガイドローラとが接触している位置で、前記転写シートと接触するように配置されている、請求項２又は請求項３記載の転写シート送り装置。
【請求項５】
樹脂本体部とその樹脂本体部に接続される樹脂ゲート部とが射出成形され、透明な転写層が前記樹脂本体部と前記樹脂ゲート部とに前記射出成形と同時に転写されるように、キャビティとそのキャビティに接続されるゲート空間とが構成された射出成形用金型内に前記転写層を有する転写シートを送り込んで製造される樹脂成形品の製造方法であって、
型開きした状態で、前記転写シートを前記射出成形用金型内に送り込む工程と、
前記射出成形用金型内に送り込まれる前に、前記転写層の前記樹脂ゲート部に転写される部分に転写確認マークをマーキングする工程と、
前記送り込まれた転写シートを前記射出成形用金型のパーティング面に接触させ、吸引によりキャビティ面に沿うように配置する工程と、
前記配置された状態で型締めして、前記キャビティ及び前記ゲート空間を形成する工程と、
前記形成されたキャビティ及びゲート空間に溶融樹脂を射出して前記樹脂本体部及び前記樹脂ゲート部を形成すると同時に、前記樹脂本体部及び前記樹脂ゲート部に前記転写層を転写して樹脂成形品を成形する工程と、
前記成形された樹脂成形品を冷却して固化させる工程と、
前記冷却して固化された樹脂成形品を型開きして取り出す工程とを備えた、樹脂成形品の製造方法。
【発明の詳細な説明】
【技術分野】
【０００１】
この発明は転写シート送り装置に関し、特に射出成形と同時に転写される転写層を有する転写シートを射出成形用金型内に送り込む転写シート送り装置及び樹脂成形品の製造方法に関するものである。
【背景技術】
【０００２】
携帯電話の筐体等、表面に図柄等の転写層が転写された樹脂成形品がある。この樹脂成形品は、例えば、転写シート送り装置を用いて、転写層が形成された転写シートを射出成形用金型内に送り込んで、射出成形と同時に樹脂本体部に転写層が転写されて製造される（例えば、特許文献１参照）。射出成形用金型は、固定型と、型締めによって固定型との間にキャビティを形成する可動型と、送り込まれた転写シートを可動型のパーティング面に接触及び接触解除させるクランプとを備えている。転写シート送り装置は、ロール状の長尺からなる転写シートを可動型のパーティング面に沿って鉛直方向に射出成形用金型内に送り込む装置であり、射出成形機の可動盤の上部に取り付けられた巻出し部と、可動盤の下部に取り付けられた巻取り部とから構成されている。
【０００３】
上記樹脂成形品の製造は、先ず、型開きした状態で、巻出し部から送り込まれた転写シートが位置合わせされ、クランプにより可動型のパーティング面に接触される。次に、転写シートが吸引により可動型のキャビティ面に沿うように配置される。次に、型締めして、キャビティに溶融樹脂を射出して樹脂本体部が形成されると同時に、その樹脂本体部に転写層を転写して樹脂成形品が成形される。その樹脂成形品を冷却して固化させた後、型開きして、クランプにより転写シートを可動型のパーティング面から接触解除させると共に、樹脂成形品を射出成形用金型から取り出す。このようにして、表面に図柄が転写された樹脂成形品が製造される。金型から取り出された樹脂成形品は、傷等の外観検査を行うところ、転写層が樹脂本体部に転写されているか否かは、目視により転写層である図柄が樹脂成形品の表面に形成されているか否かで判断する。
【特許文献１】特開２００５−３４３０２７号公報
【発明の開示】
【発明が解決しようとする課題】
【０００４】
上記のような従来の転写シート送り装置及び樹脂成形品の製造方法では、転写層が表面保護のための機能層等で構成され透明である場合、転写層が樹脂本体部に転写されて樹脂成形品の表面に形成されているか否かの判断が、上記図柄の場合のように一見して判断することができる程容易ではない。
【０００５】
この発明は、上記のような課題を解決するためになされたもので、透明な転写層が、樹脂本体部に転写されて樹脂成形品の表面に形成されていることを容易に判断することができる転写シート送り装置及び樹脂成形品の製造方法を提供することを目的とする。
【課題を解決するための手段】
【０００６】
上記の目的を達成するために、第１の発明は、樹脂本体部とその樹脂本体部に接続される樹脂ゲート部とが射出成形され、透明な転写層が樹脂本体部と樹脂ゲート部とに射出成形と同時に転写されるように、キャビティとそのキャビティに接続されるゲート空間とが構成された射出成形用金型内に、転写層を有する転写シートを送り込む転写シート送り装置であって、射出成形用金型より転写シートの送り方向上流側に設置され、転写シートを巻き出して射出成形用金型内へ送り込む巻出し部と、射出成形用金型より転写シートの送り方向下流側に設置され、射出成形用金型内へ送り込まれた転写シートを巻き取る巻取り部と、転写シートが巻き出されてから射出成形用金型内に送り込まれるまでの間に設置され、射出成形用金型内に送り込まれる前に、転写層の樹脂ゲート部に転写される部分に転写確認マークをマーキングするマーキング部材とを備えたものである。
【０００７】
このように構成すると、射出成形用金型から取り出された、樹脂本体部に接続される樹脂ゲート部に転写確認マークが形成される。
【０００８】
第２の発明は、第１の発明の構成において、転写層の樹脂ゲート部に転写される部分は、転写シートの送り方向からみて、転写層の樹脂本体部に転写される部分と重ならない部分を有し、マーキング部材はマーキングペンであり、そのマーキングペンは先端部が転写シートに接触するように配置され、重ならない部分を通過するように転写シートの送り方向に沿って連続した線状の転写確認マークをマーキングするものである。
【０００９】
このように構成すると、樹脂ゲート部に線状の転写確認マークが転写される。
【００１０】
第３の発明は、第２の発明の構成において、マーキングペンは、転写シートの幅方向に移動可能に設置されたものである。
【００１１】
このように構成すると、マーキングペンが転写シートの幅方向に移動する。
【００１２】
第４の発明は、第２又は第３の発明の構成において、巻出し部は、転写シートが射出成形用金型に対して所定の位置に送り込まれるように案内するガイドローラを含み、マーキングペンは、その先端部が、転写シートと前記ガイドローラとが接触している位置で、転写シートと接触するように配置されているものである。
【００１３】
このように構成すると、マーキングペンを接触させても転写シートが撓まない。
【００１４】
第５の発明は、樹脂本体部とその樹脂本体部に接続される樹脂ゲート部とが射出成形され、透明な転写層が樹脂本体部と樹脂ゲート部とに射出成形と同時に転写されるように、キャビティとそのキャビティに接続されるゲート空間とが構成された射出成形用金型内に転写層を有する転写シートを送り込んで製造される樹脂成形品の製造方法であって、型開きした状態で、転写シートを射出成形用金型内に送り込む工程と、射出成形用金型内に送り込まれる前に、転写層の樹脂ゲート部に転写される部分に転写確認マークをマーキングする工程と、送り込まれた転写シートを射出成形用金型のパーティング面に接触させ、吸引によりキャビティ面に沿うように配置する工程と、配置された状態で型締めして、キャビティ及びゲート空間を形成する工程と、形成されたキャビティ及びゲート空間に溶融樹脂を射出して樹脂本体部及び樹脂ゲート部を形成すると同時に、樹脂本体部及び樹脂ゲート部に転写層を転写して樹脂成形品を成形する工程と、成形された樹脂成形品を冷却して固化させる工程と、冷却して固化された樹脂成形品を型開きして取り出す工程とを備えたものである。
【００１５】
このように構成すると、射出成形用金型から取り出された、樹脂成形品に接続されるゲート部材に転写確認マークが形成される。
【発明の効果】
【００１６】
以上説明したように、第１の発明は、射出成形用金型から取り出された、樹脂本体部に接続される樹脂ゲート部に転写確認マークが形成されるため、樹脂本体部に透明な転写層が転写されていることを容易に確認することができる。
【００１７】
第２の発明は、第１の発明の効果に加えて、樹脂ゲート部に線状の転写確認マークが転写されるため、転写シート送り装置に簡単な構成を付加するだけで、樹脂本体部に透明な転写層が転写されていることを容易に確認することができる。
【００１８】
第３の発明は、第２の発明の効果に加えて、マーキングペンが転写シートの幅方向に移動するため、マーキングペンの位置を樹脂ゲート部の位置に合わせて容易に変更することができる。
【００１９】
第４の発明は、第２又は第３の発明の効果に加えて、マーキングペンを接触させても転写シートが撓まないため、転写シートの走行に影響を与えることなく転写確認マークをマーキングすることができる。
【００２０】
第５の発明は、射出成形用金型から取り出された、樹脂成形品に接続されるゲート部材に転写確認マークが形成されるため、樹脂本体部に透明な転写層が転写されていることを容易に確認して樹脂成形品を製造することができる。
【発明を実施するための最良の形態】
【００２１】
次に、発明の実施の形態について図を参照しながら説明する。
【００２２】
図１は、その（１）が樹脂成形品の概略構成を示した正面図であり、その（２）がその（１）で示したＩ−Ｉラインの断面図である。
【００２３】
図１の（１）を参照して、樹脂成形品５７及び樹脂成形品５７に接続されるゲート部材５９は、この発明の第１の実施の形態による転写シート送り装置１２が適用される成形同時転写装置１０により製造されたものである。樹脂成形品５７は携帯電話の筐体の一部等である。樹脂成形品５７は正面視矩形形状を有し、２つの樹脂成形品５７が所定の間隔をあけて整列し、ゲート部材５９は全体としては正面視ほぼＵ字状を有し、樹脂成形品５７の各々の同一側短辺中央を結ぶようにしてゲート部材５９の端部が接続している。ゲート部材５９の中央には、連続した線状の転写確認マーク６４が形成されている。
【００２４】
図１の（２）を参照して、樹脂成形品５７は、裏面が開放された薄い箱形状の樹脂本体部５６と、樹脂本体部５６の表面の全面を覆う転写層５４とを備えている。ゲート部材５８は、フィルムゲートを採用したことにより生じた樹脂ゲート部５８と、樹脂ゲート部５８の表面の全面を覆う転写層５４とを備えている。樹脂本体部５６上の転写層５４と樹脂ゲート部５８上の転写層５４とは連続している。
【００２５】
次に、転写シート送り装置１２が適用される成形同時転写装置１０について説明する。
【００２６】
図２はこの発明の第１の実施の形態による転写シート送り装置が適用される成形同時転写装置の概略構成を示した側面図であり、図３は図１で示した巻出し部及び可動型の概略構成を示した正面図であり、図４は図１で示したＡ部分の拡大図である。
【００２７】
図２及び図３を参照して、成形同時転写装置１０は、射出成形機と、その射出成形機に設置された射出成形用金型１１及び転写シート送り装置１２とを備えている。成形同時転写装置１０は、転写シート送り装置１２により、基体シート５３上に転写層５４を有する転写シート５５を射出成形用金型１１内に送り込んで、射出成形と同時に転写層５４を転写して樹脂成形品５７を製造する装置である。
【００２８】
射出成形用金型１１は、固定型１７と、型締めによって固定型１７との間にキャビティ２４及びゲート空間２９を形成する可動型１８と、可動型１８のパーティング面２０に設けられ、パーティング面２０に対して、転写シート５５を接触及び接触解除させるクランプ２５とを備えている。固定型１７は、射出成形機の固定盤１５に固定され、可動型１８は、射出成形機の可動盤１６に固定されている。射出成形機の図示しない駆動手段により、可動型１８が固定型１７に対して水平方向に移動して型締めや型開きが行われる。射出成形用金型１１には、固定型１７と可動型１８とが型締めされた状態で、樹脂本体部５６と樹脂本体部５６に接続される樹脂ゲート部５８とが射出成形され、転写層５４が樹脂本体部５６と樹脂ゲート部５８とに上記射出成形と同時に転写されるように、キャビティ２４とキャビティ２４に接続されるゲート空間２９とが構成されている。
【００２９】
可動型１８は、パーティング面２０の中央に、樹脂成形品５７の正面に対応するキャビティ面２３と、ゲート部材５９の正面に対応するゲート空間面２８とを有している。そのキャビティ面２３及びゲート空間面２８とを矩形形状で囲むようにしてクランプ２５が配置されている。クランプ２５は、転写シート５５を跨ぐようにして配置された２つの横材と、その２つの横材を転写シートの端部を沿って、その端部を覆いながら架け渡すように接続された縦材とから構成される。クランプは、型締め方向に可動して、クランプ２５とパーティング面２０との間を転写シート５５が搬送される。
【００３０】
固定型１７は、パーティング面１９の中央に、樹脂成形品５７の背面に対応するキャビティ面２２と、ゲート部材５９の背面に対応するゲート空間面２７とを有している。キャビティ面２２及びゲート部空間面２７の周囲に、型締め時にクランプ２５が収納されるようにクランプの外形に対応させた凹状のクランプ収納部２６が形成されている。
【００３１】
転写シート送り装置１２は、転写シート５５を、可動型１８のパーティング面２０に沿って上方から下方に向かって走行と停止を繰り返しながら間欠的に射出成形用金型１１内に送り込む装置である。転写シート送り装置１２は、可動盤１６の上部に設置された巻出し部３０と、可動盤１６の下部に設置された巻取り部４０と、巻取り部に取り付けられたマーキング部材であるマーキングペン６０と、可動型１８の上部に設置された送り方向センサ５０と、可動型１８の上部及び下部に設置された幅方向センサ５１とを備えている。巻出し部３０は、射出成形用金型１１より転写シート５５の送り方向上流側に設置され、巻取り部４０は、射出成形用金型１１より転写シート５５の送り方向下流側に設置され、マーキングペン６０は、転写シート５５が巻き出されてから射出成形用金型１１内に送り込まれるまでの間に設置されている。
【００３２】
巻出し部３０は、ロール状に巻かれた転写シート５５を巻き出して射出成形用金型１１内へ送り込む装置である。巻出し部３０は、底板７４及び底板７４の転写シート５５幅方向両端から立ち上がる側板７５を有するフレーム３１と、側板７５の各々を掛け渡すように取り付けられたリール３６、ガイドローラ３７及びガイドローラ３８とを備えている。リール３６は図示しない駆動手段により速度制御されながら回転駆動され、リール３６には、ロール状に巻かれた長尺の転写シート５５がセットされる。リール３６から巻き出された転写シート５５が、ガイドローラ３７及びガイドローラ３８に、所定のテンションを付与されながら可動型１８に対して所定の位置に送り込まれるように案内される。ガイドローラ３７及びガイドローラ３８は、転写シート５５の走行に従動して回転する。フレーム３１は、側面視Ｌ字状の折曲げ板からなる連結部材３２と、ブロック３４及びレール３５からなるスライドガイドとを介して、可動盤１６の上部に設置されている。連結部材３２は、可動盤１６に固定され、連結部材３２の上面にレール３５が固定されている。又、フレーム３１の下面にブロック３４が固定されている。レール３５に対してブロック３４が摺動することにより、フレーム３１即ち巻出し部３０が転写シート５５の幅方向（紙面に貫通する方向）に移動可能となっている。
【００３３】
マーキングペン６０は、横架材７３の中央にマーキングペン保持部材６５を介して設置されている。横架材７３は、ガイドローラ３８の背面上方に、フレーム３１の側板７５同士を架け渡すようにして、断面円形の棒状からなる回動しないように取り付けられている。このマーキングペン６０により、転写確認マーク６４が、転写シートの走行に伴って転写層５４にマーキングされる。転写層５４の樹脂ゲート部５８に転写される部分は、転写シート５５の送り方向からみて、転写層５４の樹脂本体部５６に転写される部分と重ならない部分を有している。具体的には、Ｕ字状に形成されたゲート部材５９の中央部分に転写される部分である。マーキングペン６０は、射出成形用金型１１内に送り込まれる前に、転写層５４の樹脂ゲート部５８に転写される部分に転写確認マーク６４をマーキングする。具体的には、マーキングペン６０は、上記重ならない部分を通過するように転写シート５５の送り方向に沿って、連続した線状の転写確認マーク６４をマーキングする。マーキングペン６０の取付け構造については後述する。
【００３４】
巻取り部４０は、上記巻出し部３０から巻き出されて射出成形用金型１１内に送り込まれた転写シート５５を巻き取る装置である。巻取り部４０は、転写シート５５の幅方向両側に側壁を有するフレーム４１と、フレーム４１の側板の各々を掛け渡すように取り付けられたガイドローラ４７、ガイドローラ４８、ガイドローラ４９及び巻取りローラ４６とを備えている。巻取りローラ４６は、図示しない駆動手段によりトルク制御されながら回転駆動され、巻取りローラ４６には、巻出し部３０から射出成形用金型１１内を介して送られてきた転写シート５５が巻き取られる。転写シート５５は、ガイドローラ４７、ガイドローラ４８及びガイドローラ４９により、所定のテンションを付与されながら巻取りローラ４６に案内される。ガイドローラ４７、ガイドローラ４８及びガイドローラ４９は、転写シート５５の走行に従動して回転する。フレーム４１は、フレーム３１と同様に、側面視Ｌ字状の折曲げ板からなる連結部材４２と、ブロック４４及びレール４５からなるスライドガイドとを介して、可動盤１６の下部に設置されている。そして、フレーム４１即ち巻取り部４０が転写シート５５の幅方向に移動可能となっている。又、ガイドローラ４７及び巻出し部３０のガイドローラ３８の位置が、可動型１８のパーティング面２０と転写シート５５との距離を決定する。
【００３５】
送り方向センサ５０は、転写する所定の範囲の転写層５４に合わせて一定の間隔で転写シート５５に形成された点状の送り方向マークを検出するセンサである。送り方向センサ５０がこの送り方向マークを検出すると、走行している転写シート５５が、転写シート５５に形成された所定の範囲の転写層５４と可動型１８のキャビティ面２３とが一致するように所定の位置で停止する。具体的には、送り方向センサ５０が送り方向マークの前端を検出すると、転写シート５５の走行速度を減速させ、その後送り方向マークの後端を検出すると転写シート５５を停止させる。
【００３６】
幅方向センサ５１は、転写シート５５の長手方向に転写シートの側部に形成された連続した線状の幅方向マークを検出するセンサである。可動型１８の上部に設置された幅方向センサ５１と可動型の下部に設置された幅方向センサ５１の２つのセンサにより幅方向マークを検出して、転写シート５５の送り方向に対する傾きが調整される。具体的には、転写シート５５が上記送り方向センサ５０により送り方向に対しては停止した状態で、転写シート５５をその幅方向に移動させ、上下２つの幅方向センサ５１が幅方向マークの一方側端を検出すると、転写シート５５の移動速度を減速させる。そして、上下２つの幅方向センサ５１が幅方向マークの他方側端を検出すると、転写シート５５の幅方向の移動を停止させる。尚、幅方向に対する転写シート５５の移動距離は短いため、上下２つの幅方向センサ５１が最初に幅方向マークの一方側端を検出したときに、転写シート５５の移動を停止させてもよい。
【００３７】
転写シート５５は、巻出し部３０のリール３６から巻き出され、ガイドローラ３７及びガイドローラ３８に案内された後、上述した送り方向センサ５０と幅方向センサ５１とにより所定の位置に位置決めされながら、可動型１８のパーティング面２０に沿って停止と走行が繰り返される。そして、ガイドローラ４７、ガイドローラ４８及びガイドローラ４９に案内されて巻取り部４０の巻取りローラ４６に巻き取られる。転写シート５５の幅方向の移動は、巻出し部３０と巻取り部４０の移動により行われる。
【００３８】
転写シート５５は、基体シート５３上に、射出成形と同時に樹脂本体部５６及び樹脂ゲート部５８に転写される転写層５４が形成されたものである。転写層５４は、基体シート５３上の全面に形成されている。転写層５４は、樹脂成形品５７の外表面を構成する透明な層であり、例えば、外表面を傷等から保護する剥離層、樹脂本体部５６と転写層５４との接着性を向上させる接着層が挙げられる。更に、基体シート５３からの転写層５４の剥離性を向上させる場合には、基体シート５３と転写層５４との間に離型層が形成される。離型層は、転写層５４が転写された後も基体シート５３上に残る層である。
【００３９】
基体シート５３には、ポリエチレンテレフタレート（ＰＥＴ）、ポリプロピレン（ＰＰ）、アクリル等の樹脂シート、金属箔、グラシン紙、コート紙、セロハン等のセルロース系シート等の材質が使用される。
【００４０】
剥離層には、アクリル（ＰＭＭＡ）系樹脂、ポリエステル系樹脂、塩化ビニル−酢酸ビニル共重合体系樹脂等のコポリマー等が使用される。剥離層に硬度を持たせ樹脂成形品５７の耐擦傷性を向上させる場合には、紫外線硬化性樹脂や電子線硬化性樹脂等が使用される。剥離層は、グラビア印刷法、スクリーン印刷法、オフセット印刷法等により基体シート上に印刷される。
【００４１】
樹脂本体部５６は、成形品の目的に合わせた材質が使用される。例えば、アクリロニトリル・ブタジエン・スチレン（ＡＢＳ）、ＰＭＭＡ、ポリスチレン（ＰＳ）、スチレンアクリロニトリル（ＡＳ）、ポリカーボネート（ＰＣ）、ポリ塩化ビニル（ＰＶＣ）、ＰＰ、ＰＥＴ樹脂等である。
【００４２】
離型層には、メラミン系樹脂等が使用され、接着層には、樹脂本体部５６の材質に適した感熱性や感圧性を有する樹脂、例えば、樹脂本体部５６がＰＭＭＡ樹脂であればＰＭＭＡ樹脂が使用される。離型層及び接着層は、グラビア印刷法、スクリーン印刷法等により印刷される。
【００４３】
次に、マーキングペン６０の取付け構造について説明する。
【００４４】
図４は図１で示したＡ部分の拡大図である。
【００４５】
図４を参照して、マーキングペン６０は、転写層５３にマーキングすることができる、例えば油性インキのマーキング部材であり、先端側が円錐台状の中実円柱状からなる胴部６１と、胴部６１の先端側に接続される、油性インキをマーキング対象に付着させる先端部６２を備えている。マーキングペン６０は、先端部６２が、転写シート５５とガイドローラ３８が接触する位置で、転写シート５５と接触するように配置されている。したがって、マーキングペン６０を転写シート５５に接触させても転写シート５５が撓まないため、転写シート５５の走行に影響を与えることなく転写確認マーク６４をマーキングすることができる。
【００４６】
マーキングペン６０は、胴部６１の後ろよりの位置でマーキングペン保持部材６５により保持されている。換言すれば、横架材７３の軸を中心に回動自在に保持されていたとすれば、先端部６２が下方側に回動する位置でマーキングペン保持部材６５により保持されている。このようにマーキングペン６０を保持すれば、先端部６２が転写シート５５に接触する方向にマーキングペンの自重が働くため、安定して転写確認マーク６４をマーキングすることができる。更に、同回動方向にバネによる付勢力を与えれば、更に安定して転写確認マーク６４をマーキングすることができる。
【００４７】
マーキングペン保持部材６５は、横架材７３を挟持する挟持部６６と、マーキングペン６０の胴部６１を挟持する挟持部６７と、挟持部６６と挟持部６７とを挟持する対象の軸心が直交するように接続する接続部６８とを備えている。挟持部６６は、横架材７３の周縁を囲い込み、全周囲い込む手前で外方に向かって２つの平板状の鍔部が対面するようにして延びている。２つの鍔部には固定ネジ６９が挿通され、固定ネジ６９が固定ナット７０に螺合して２つの鍔部を締め付け、所定の挟持力で横架材７３を挟持している。固定ネジ６９又は固定ナット７０を回転させることにより、２つの鍔部の対面距離が変化し、横架材への挟持力が調整される。挟持部６７も、挟持部６６と同様に構成されている。接続部６８は平板状を有している。
【００４８】
挟持部６６は、その挟持力を開放すれば、横架材７３の軸を中心にマーキングペン６０を回動させることができ、再び挟持力を付与すれば、転写層５４に連続した線状の転写確認マーク６４がマーキングされる程度の所定の圧力で先端部６２が転写シート５５に接触する位置で、マーキングペン６０を固定させることができる。又、挟持部６６は、挟持力を開放すれば横架材７３に沿って移動可能であり、再び挟持力を付与すれば、所定の位置で固定される。横架材７３は、その軸方向が転写シート５５の幅方向に合わせて設置されているため、マーキングペン６０は、転写シート５５の幅方向に移動可能に設置されていることとなる。したがって、マーキングペン６０の位置を樹脂ゲート部５８の位置に合わせて、即ち転写シート５５の送り方向からみて、転写層５４の樹脂ゲート部５８に転写される部分のうち、樹脂本体部５６に転写される部分と重ならない部分に合わせて容易に変更することができる。
【００４９】
次に、転写シート送り装置１２が適用される成形同時転写装置１０を用いた樹脂成形品５７の製造方法について説明する。
【００５０】
図２及び図３を参照して、先ず、型開きした状態で、転写シート５５が転写シート送り装置１２により射出成形用金型１１内に送り込まれる。このとき、射出成形用金型１１内に送り込まれる前に、マーキングペン６０により、転写確認マーク６４が、転写層５４の樹脂ゲート部５８に転写される部分にマーキングされる。キャビティ面２３と所定の範囲の転写層５４が一致するように転写シートを配置する。転写シート５５は、先ず高速で送り込まれ、その後低速となり所定の範囲の転写層５４が一致するように送り込まれる。次に、クランプ２５を可動型１８のパーティング面２０に向かって移動させることにより転写シート５５をパーティング面２０に接触させる。そして、吸引により、転写シート５５をキャビティ面２３及びゲート空間面２８に沿うように配置する。
【００５１】
次に、固定型１７と可動型１８とを型締めしてキャビティ２４及びゲート空間２９を形成する。次に、ゲート部空間２９を介してキャビティ２４に溶融樹脂を射出して樹脂本体部５６及び樹脂ゲート部５８を形成すると同時に、樹脂本体部５６及び樹脂ゲート部５８に転写シート５５の転写層５４が転写して樹脂成形品５７及びゲート部材５９が形成される。次に、成形された樹脂成形品５７を冷却して固化させる。
【００５２】
次に、型開きして、転写シート５５から転写層を剥離させる。次に、クランプ２５を可動型１８のパーティング面２０から離れる方向に移動させることにより転写シート５５をパーティング面２０から接触解除させる。次に、図示しないロボット等により、図１で示した樹脂成形品５７及びゲート部材５９が射出成形用金型１１から取り出される。次に、ゲートカット機やホットニッパ等を用いて、樹脂成形品５７からゲート部材５９を切り離す。このようにして、基体シート５３上に透明な転写層５４を有する転写シート５５が型内に送り込まれ、射出成形と同時に、透明な転写層５４が転写される樹脂成形品５７は製造される。
【００５３】
以上から、上記のように構成される転写シート送り装置１２が適用される成形同時転写装置１０を用いた樹脂成形品５７の製造方法では、射出成形用金型１１から取り出された、樹脂本体部５６に接続される樹脂ゲート部５８に転写確認マーク６４が形成されるため、樹脂本体部５６に透明な転写層が転写されていることを容易に確認することができる。そして、樹脂本体部に透明な転写層が転写されていることを容易に確認して樹脂成形品を製造することができる。又、樹脂ゲート部５８に線状の転写確認マーク５５が転写されるため、転写シート送り装置１２にマーキングペン６０といった簡単な構成を付加するだけで、樹脂本体部５６に透明な転写層５４が転写されていることを容易に確認することができる。
【００５４】
尚、上記の実施の形態では、マーキングペンが横架材にマーキングペン保持部材を介して固定されているが、転写層に転写確認マークをマーキングすることができる位置に固定することができれば、横架材を平板形状にして、その横架材に粘着テープで固定する等他の方法で固定してもよい。
【００５５】
又、上記の実施の形態では、マーキングペンが回動可能に、転写シートの幅方向に移動可能に取り付けられているが、マーキングペンが転写層の樹脂ゲート部に転写される部分のうち、転写シートの送り方向からみて樹脂本体部に転写される部分と重ならない部分に転写確認マークをマーキングする位置に固定していれば、マーキングペンは回動可能でなくてもよく、転写シートの幅方向に移動可能でなくてもよい。
【００５６】
更に、上記の実施の形態では、マーキングペンに油性インキが使用されているが、転写層に転写確認マークをマーキングすることができれば、他のインキであってもよい。
【００５７】
更に、上記の実施の形態では、マーキングペンの先端部が、ガイドローラと転写シートとが接触する位置で転写シートに接触しているが、転写シートが巻き出されてから射出成形用金型内に送り込まれるまでの間に設置されていれば、ガイドローラと転写シートとが接触していない他の位置で転写シートに接触してもよい。
【００５８】
更に、上記の実施の形態では、転写確認マークをマーキングするマーキング部材としてマーキングペンを使用しているが、転写層の樹脂ゲート部に転写される部分に目視することができる転写確認マークがマーキングされれば、連続した線状にマーキングする必要もなく、転写シートの走行に合わせて間欠的に押印するスタンプ等他のマーキング部材であってもよい。
【００５９】
更に、上記の実施の形態では、転写シート送り装置が可動型側に設置されているが、射出成形用金型に、樹脂本体部とその樹脂本体部に接続される樹脂ゲート部とが射出成形され、透明な転写層が前記樹脂本体部と前記樹脂ゲート部とに前記射出成形と同時に転写されるように、キャビティとそのキャビティに接続されるゲート空間とが構成されていれば、転写シート送り装置が固定型側に設置されてもよい。又、上記のようにキャビティとそのキャビティに接続されるゲート空間とが構成されていれば、可動型と固定型とが入れ替わってもよく、キャビティ及びそのキャビティに接続されるゲート空間は、他の形状に構成されてもよい。
【００６０】
更に、上記の実施の形態では、転写層が基体シートの全面に形成されているが、樹脂本体部及び樹脂ゲート部に対応する部分に形成されていれば、全面に形成されている必要はない。
【図面の簡単な説明】
【００６１】
【図１】その（１）が樹脂成形品の概略構成を示した正面図であり、その（２）がその（１）で示したＩ−Ｉラインの断面図である。
【図２】この発明の第１の実施の形態による転写シート送り装置が適用される成形同時転写装置の概略構成を示した側面図である。
【図３】図１で示した巻出し部及び可動型の概略構成を示した正面図である。
【図４】図１で示したＡ部分の拡大図である。
【符号の説明】
【００６２】
１１    射出成形用金型
１２    転写シート送り装置
２４    キャビティ
２９    ゲート空間
３０    巻出し部
３８    ガイドローラ
４０    巻取り部
５４    転写層
５５    転写シート
５６    樹脂本体部
５７    樹脂成形品
５８    樹脂ゲート部
６０    マーキングペン
６２    先端部
６４    転写確認マーク
【図１】
2010042605.tif 000003
【図２】
2010042605.tif 000004
【図３】
2010042605.tif 000005
【図４】
2010042605.tif 000006